(57)【要約】【課題】簡単に建築部材のレベル出しを行うことができ、その状態で壁面、天井面、床面などに簡単に貼り付けることのできる建築部材の位置決め固定方法を提案すること。【解決手段】内装ボードの直貼工法では、壁面２に接着固定したスペーサ７の側面に墨出し用のレーザー光を当て、レーザー照射線６ａに沿ってスペーサ７を切断する。レーザー照射線６ａに沿って各スペーサ７を切断すると、各スペーサ７の切断縁７ｂがレーザー光によって規定されるレベル面上に位置する。各スペーサ７の切断縁７ｂに内装ボード１１を押し当て、ホットメルト接着剤で接着すれば、内装ボード１１がレベル出しされた状態で各スペーサ７を介して壁面２に仮固定される。【選択図】図３
2008031753.tif 000002
【特許請求の範囲】
【請求項１】
位置決め対象の建築部材を、床面、壁面、天井面等の基準面から所定の距離だけ離れた位置に、レベル出しが行われた状態で固定するための建築部材の位置決め固定方法であって、
前記基準面から所定の距離だけ離れた位置に、レーザー光線を用いてレベル面を規定するレーザー墨出し工程と、
当該基準面に、所定の間隔で複数の箇所に所定長さのスペーサをホットメルト接着剤で接着固定するスペーサ接着工程と、
各スペーサにおける前記レーザー光線の照射位置に沿って各スペーサを切断するスペーサ切断工程と、
各スペーサの切断後の先端面に、位置決め対象の建築部材をホットメルト接着剤を介して押し当てることにより、各スペーサの先端面に建築部材を接着固定する建築部材取り付け工程とを含むことを特徴とする建築部材の位置決め固定方法。
【請求項２】
請求項１において、
前記レーザー墨出し工程と同時に、あるいは、それに先立って、前記スペーサ接着工程を行うことを特徴とする建築部材の位置決め固定方法。
【請求項３】
請求項１または２において、
前記スペーサ接着工程の後に、前記基準面に、合成樹脂接着剤を所定の厚さで塗布あるいは盛り付ける合成樹脂接着剤塗布工程を含み、
前記建築部材取り付け工程の後に所定時間が経過すると、前記合成樹脂接着剤が硬化して、前記スペーサによってレベル出しが行われた状態の前記建築部材が当該合成樹脂接着剤を介して前記基準面に接着固定されることを特徴とする建築部材の位置決め固定方法。
【請求項４】
請求項１ないし３のうちのいずれかの項において、
前記建築部材取り付け工程の後に、前記基準面と前記建築部材の間に、これらの側方から合成樹脂接着剤を充填する合成樹脂接着剤充填工程を含むことを特徴とする建築部材の位置決め固定方法。
【請求項５】
コンクリート壁面にプラスターボードなどの内装ボードをレベル出しが行われた状態で貼り付ける内装ボードの貼り付け工法であって、
コンクリート壁面から所定の間隔の所に、レーザー光線を用いてレベル面を規定するレーザー墨出し工程と、
前記コンクリート壁面に、所定の間隔で複数の箇所に所定長さのスペーサをホットメルト接着剤で接着固定するスペーサ接着工程と、
前記コンクリート壁面に、合成樹脂接着剤を所定の厚さで塗布あるいは盛り付ける合成樹脂接着剤塗布工程と、
各スペーサの側面における前記レーザー光線の照射位置に沿って各スペーサを切断するスペーサ切断工程と、
各スペーサの切断後の先端面に、前記内装ボードをホットメルト接着剤を介して押し当てることにより、各スペーサの先端面に当該内装ボードを接着固定する内装ボード取り付け工程とを含み、
当該内装ボード取り付け工程の後に所定時間が経過すると、前記合成樹脂接着剤が硬化して、前記スペーサによってレベル出しが行われた状態の前記内装ボードが当該合成樹脂接着剤を介して前記コンクリート壁面に接着固定されることを特徴とする内装ボードの貼り付け工法。
【請求項６】
請求項５において、
前記レーザー墨出し工程と同時に、あるいは、それに先立って、前記スペーサ接着工程を行うことを特徴とする内装ボードの貼り付け工法。
【請求項７】
請求項５または６において、
前記内装ボード取り付け工程の後に、前記コンクリート壁面と前記内装ボードの間に、これらの側方から合成樹脂接着剤を充填する合成樹脂接着剤充填工程を含むことを特徴とする内装ボードの貼り付け工法。
【請求項８】
請求項１ないし４のうちの何れかの項に記載の建築部材の位置決め固定方法に用いる位置決め固定具セットであって、
前記レーザー光を照射するレーザー墨出し器と、
複数の前記スペーサと、
前記ホットメルト接着剤が充填されているホットメルト接着剤容器と、
前記スペーサを切断するためのカッタと、
これらが収納されている袋と、
を有していることを特徴とする建築部材の位置決め固定具セット。
【請求項９】
請求項８において、更に、
前記ホットメルト接着剤用のスプレーガンと、
合成樹脂接着剤が充填されている合成樹脂接着剤容器と、
当該合成樹脂接着剤用のスプレーガンと、
を有していることを特徴とする建築部材の位置決め固定具セット。
【発明の詳細な説明】
【技術分野】
【０００１】
本発明は、建築施工において床板、壁板等を、床面、壁面などに、レベル出しが行なわれた状態で固定するのに適した建築部材の位置決め固定方法に関するものである。
【背景技術】
【０００２】
マンションなどの建物の室内壁の施工法としては、コンクリート壁面に接着剤を介してプラスターボードなどの内装ボードを直接に貼り付ける直貼工法が知られている。この工法は一般にＧＬ工法と呼ばれており、石膏の粉と接着剤とを混練したＧＬボンドと呼ばれる接着剤を調製し、これを壁面に団子状に離散的に盛り付け、その上から内装ボードを貼り付け、接着剤が硬化するまで内装ボードをレベル出しが行われた状態に保持するようにしている。かかる方法はＧＬボンドの調製のための前準備が必要であり、また、調製したＧＬボンドを使い切るまで施工を中断できないなどの不便さがある。また、レベル出しを簡単に行うことができないという問題点がある。
【０００３】
特許文献１(特開２００２−１２１８７９号公報)には、ＧＬボンドの代わりに硬質発泡ウレタンなどの接着剤を壁面に線状に盛り付けて内装ボードを貼り付ける方法が開示されている。しかしながら、レベル出しの方法については何ら開示されていない。
【０００４】
本願出願人は、特許文献２(特開平７−９１０１５号公報)、特許文献３(同９−７２０３９号公報)等において、発泡性接着剤を含浸させた弾性スペーサを挟み、ボード類を壁面、天井面に貼りつけ、接着剤が硬化するまでの間、アジャスタピンを用いてボード類のレベル出し、仮固定を行う工法を提案している。この工法によれば、発泡性接着剤によってボード類がアジャスタピンに押し付けられて確実にレベル出しが行われた状態で壁面などにボード類を貼り付けることができる。
【０００５】
しかしながら、専用のアジャスタピンを用意する必要があり、アジャスタピンを取り付けるためにボード類に事前に穴を開けておく必要がある。さらには、複数本のアジャスタピンを調整してボード類のレベル出しを行う必要があるので、レベル出しの作業に時間を要する。
【０００６】
そこで、本願出願人は、特許文献４(特開２００１−１２０５０号公報)において、スチロール樹脂発泡体からなるスペーサを用いて部材のレベル出しを行う方法を提案している。この方法では、スチロール樹脂発泡体のスペーサを所定の長さに切断して、位置決め対象の部材と、壁面あるいは天井面との間隔に入れて接着剤で固定することにより、位置決め対象の部材のレベル出しを行うようにしている。
【特許文献１】特開２００２−１２１８７９号公報
【特許文献２】特開平７−９１０１５号公報
【特許文献３】特開平９−７２０３９号公報
【特許文献４】特開２００１−１２０５０号公報
【発明の開示】
【発明が解決しようとする課題】
【０００７】
特許文献４に開示の方法は、特許文献１〜３に開示の方法に比べて簡単にレベル出しができるなどの利点を備えている。しかしながら、スペーサとしてスチロール樹脂発泡体を用いる必要があり、また、レベル出しの際には、部材が水平あるいは垂直となるように、スチロール樹脂発泡体からなるスペーサを切断して部材と基準面の間に入れる必要がある。かかる作業は、部材と基準面の間隔が場所によって異なるので、スペーサを入れる間隔に応じてスペーサを一つ一つ異なる長さに切断する必要がある。
【０００８】
本発明の課題は、従来に比べて簡単に部材のレベル出しを行うことができ、また、その状態で壁面、天井面、床面などに簡単に貼り付けることのできる建築部材の位置決め固定方法、内装ボードの貼り付け方法、および位置決め固定具セットを提案することにある。
【課題を解決するための手段】
【０００９】
上記の課題を解決するために、本発明は、位置決め対象の建築部材を、床面、壁面、天井面等の基準面から所定の距離だけ離れた位置に、レベル出しが行われた状態で固定するための建築部材の位置決め固定方法であって、
前記基準面から所定の距離だけ離れた位置に、レーザー光線を用いてレベル面を規定するレーザー墨出し工程と、
当該基準面に、所定の間隔で複数の箇所に所定長さのスペーサをホットメルト接着剤で接着固定するスペーサ接着工程と、
各スペーサにおける前記レーザー光線の照射位置に沿って各スペーサを切断するスペーサ切断工程と、
各スペーサの切断後の先端面に、位置決め対象の建築部材をホットメルト接着剤を介して押し当てることにより、各スペーサの先端面に建築部材を接着固定する建築部材取り付け工程とを含むことを特徴としている。
【００１０】
本発明では、基準面に接着固定したスペーサの側面に墨出し用のレーザー光線を当て、当該レーザー光線の照射位置に沿ってスペーサを切断している。レーザー光線の照射位置に沿って各スペーサを切断すると、各スペーサの切断面がレーザー光線によって規定されるレベル面上に位置する状態になる。この後に、各スペーサの先端面に建築部材を押し当てて接着すれば、建築部材はレベル出しされた状態で各スペーサを介して基準面に仮固定される。よって、本発明によれば、基準面に貼り付けたスペーサをレーザー光線の照射位置に沿って切断するという極めて簡単な作業により建築部材のレベル出しを行うことができる。
【００１１】
ここで、前記レーザー墨出し工程と同時に、あるいは、それに先立って、前記スペーサ接着工程を行うようにしてもよい。
【００１２】
また、本発明の方法は、前記スペーサ接着工程の後に、前記基準面に、合成樹脂接着剤を所定の厚さで塗布あるいは盛り付ける合成樹脂接着剤塗布工程を含み、前記建築部材取り付け工程の後に所定時間が経過すると、前記合成樹脂接着剤が硬化して、前記スペーサによってレベル出しが行われた状態の前記建築部材が当該合成樹脂接着剤を介して前記基準面に接着固定されることを特徴としている。
【００１３】
さらに、本発明の方法は、前記建築部材取り付け工程の後に、前記基準面と前記建築部材の間に、これらの側方から合成樹脂接着剤を充填する合成樹脂接着剤充填工程を含むことを特徴としている。
【００１４】
本発明の方法は、コンクリート壁面にプラスターボードなどの内装ボードをレベル出しが行われた状態で貼り付ける内装ボードの貼り付け工法として用いるのに適している。
【００１５】
すなわち、本発明の内装ボードの貼り付け工法は、
コンクリート壁面から所定の間隔の所に、レーザー光線を用いてレベル面を規定するレーザー墨出し工程と、
前記コンクリート壁面に、所定の間隔で複数の箇所に所定長さのスペーサをホットメルト接着剤で接着固定するスペーサ接着工程と、
前記コンクリート壁面に、合成樹脂接着剤を所定の厚さで塗布あるいは盛り付ける合成樹脂接着剤塗布工程と、
各スペーサの側面における前記レーザー光線の照射位置に沿って各スペーサを切断するスペーサ切断工程と、
各スペーサの切断後の先端面に、前記内装ボードをホットメルト接着剤を介して押し当てることにより、各スペーサの先端面に当該内装ボードを接着固定する内装ボード取り付け工程とを含み、
当該内装ボード取り付け工程の後に所定時間が経過すると、前記合成樹脂接着剤が硬化して、前記スペーサによってレベル出しが行われた状態の前記内装ボードが当該合成樹脂接着剤を介して前記コンクリート壁面に接着固定されることを特徴としている。
【００１６】
ここで、前記レーザー墨出し工程と同時に、あるいは、それに先立って、前記スペーサ接着工程を行うこともできる。
【００１７】
また、前記内装ボード取り付け工程の後に、前記コンクリート壁面と前記内装ボードの間に、これらの側方から合成樹脂接着剤を充填する合成樹脂接着剤充填工程を行うようにしてもよい。
【００１８】
一方、本発明は、上記の建築部材の位置決め固定方法に用いる位置決め固定具セットであって、前記レーザー光を照射するレーザー墨出し器と、複数の前記スペーサと、前記ホットメルト接着剤が充填されているホットメルト接着剤容器と、前記スペーサを切断するためのカッタと、これらが収納されている袋と有していることを特徴としている。
【００１９】
これに加えて、前記ホットメルト接着剤用のスプレーガンと、合成樹脂接着剤が充填されている合成樹脂接着剤容器と、当該合成樹脂接着剤用のスプレーガンも備わっていることが望ましい。
【発明の効果】
【００２０】
以上説明したように、本発明の建築部材の位置決め固定方法では、基準面に取り付けた各スペーサにレーザー光線を照射して墨出しを行い、墨出しされた位置(レーザー光線の照射位置)に沿って各スペーサを切断し、しかる後に各スペーサの先端面に建築部材を押し当てて接着固定するようにしている。各スペーサを、それらの側面に当たるレーザー光線の照射位置に沿って切断するという極めて簡単な作業によって建築部材のレベル出しを行うことができる。また、基準面の表面に塗布した合成樹脂接着剤が硬化すると、レベル出しが行われた状態で建築部材が合成樹脂接着剤を介して基準面に貼り付けられる。よって極めて簡単な作業によって建築部材を位置決め固定することができる。
【発明を実施するための最良の形態】
【００２１】
以下に、図面を参照して、本発明を適用した建築部材の位置決め固定方法の一例を説明する。
【００２２】
図１ないし図６は、本発明を適用した内装ボードの直貼工法を示す説明図である。まず、図１に示すように、コンクリート製の室内の床面１における壁面２から僅かに離れた位置に水平にレーザー墨出し器３を置く。レーザー墨出し器３はほぼ９０度の出射角度でレーザー光線を射出可能なものである。レーザー墨出し器３を床面１に水平に置き、レーザー光線を射出させると、図において一点鎖線で示すように床面１、隣接の壁面４および天井面５の表面に、レーザー光線が照射する。これらのレーザー照射線６によって垂直なレベル面(ボードの裏墨)が規定される(レーザー墨出し工程)。
【００２３】
次に、図２に示すように、壁面２におけるボード貼り付け領域内の部位に、スペーサ７を所定の間隔で複数箇所にホットメルト接着剤８を用いて接着固定する(スペーサ接着工程)。スペーサ７は、一定厚さの長方形をしている。勿論、他の形状のものであってもよい。スペーサ７は耐熱性があり、ナイフなどのカッタによって簡単に切断でき、寸法が変化しない硬質のものである。例えば、「ゼットロン」(登録商標：積水化学工業株式会社)を用いることができる。一定形状のスペーサ７を予め多数本用意しておき、スペーサ７の端面にホットメルト接着剤８を塗布し、ホットメルト接着剤８が硬化する前にスペーサ７を壁面２に接着固定する作業を繰り返す。スペーサ７はボード貼り付け位置よりも長いものを用いることは勿論である。この結果、各スペーサ７の側面には、レーザー光線が当り、レーザー照射線６ａができる。
【００２４】
この後は、図３に示すように、各スペーサ７をその側面のレーザー照射線６ａに沿って切断する(スペーサ切断工程)。スペーサ７の切断はカッタなどを用いて行い、切断面としては図３(ｂ)、(ｃ)に示すように傾斜面７ａとすることが望ましい。傾斜面７ａとなるように切断することにより、レーザー照射線６ａに沿った切断縁７ｂが正確に形成される。
【００２５】
次に、図４に示すように、壁面２におけるボード貼り付け領域内の部分に、団子状に合成樹脂接着剤９を所定の間隔で塗布あるいは盛り付ける(合成樹脂接着剤塗布工程)。合成樹脂接着剤９の塗布厚あるいは盛り付け高さは、壁面２からボード貼り付け位置(レーザー照射線６)までの厚さよりも厚くしておく。また、塗布および盛り付けを、団子状ではなく連続した状態で行うようにすることもできる。さらに、合成樹脂接着剤９としては、例えば、発泡ウレタン樹脂、硬質発泡ポリウレタンなどの接着剤を用いることができる。
【００２６】
この後は、図５に示すように、各スペーサ７の先端面(傾斜面)７ａにホットメルト接着剤８を塗布した後に、各スペーサ７および合成樹脂接着剤９の上から、プラスターボードなどの内装ボード１１を押し当てる(内装ボード取り付け工程)。内装ボード１１の裏面は、スペーサ７の傾斜面７ａの切断縁７ｂによって支持された状態で、ホットメルト接着剤８によって当該スペーサ７に接着固定される。切断縁７ｂはレーザー照射線６によって規定されるレベル面上に位置しており、これによって支持される内装ボード１１は精度良く垂直に取り付けられる。すなわち、レベル出しが精度良く行われた状態が形成される。ホットメルト接着剤８は１分間程度で硬化するので、内装ボード１１を、僅かの時間だけ、その裏面が確実に各スペーサ７の切断縁７ｂに押し当てられた状態となるように保持すればよい。
【００２７】
このようにして内装ボード１１を壁面２にレベル出しされた状態で仮止めした後は、図６に示すように、その側方から、合成樹脂接着剤９を、内装ボード１１と壁面２の間に充填する(合成樹脂接着剤充填工程)。内装ボード１１の外周縁に沿って連続して充填してもよいし、不連続状態で充填してもよい。
【００２８】
このようにして、壁面２に順次に内装ボード１１を貼り付ける。内装ボード１１の貼り付け作業が終了した後に所定時間が経過すると、合成樹脂接着剤９が硬化して、スペーサ７によってレベル出しが行われた状態の各内装ボード１１が当該合成樹脂接着剤９を介して壁面２に強固に接着固定される。一般的には、６時間ないし１日後に合成樹脂接着剤９が完全に硬化して内装ボード１１が壁面２に固定される。
【００２９】
以上説明したように、本例の内装ボードの直貼り工法によれば、壁面２に接着固定したスペーサ７をレーザー照射線に沿って切断するという極めて簡単な作業により内装ボード１１のレベル出しを行うことができる。また、アジャスタピンなどの器具を用いる場合とは異なり、内装ボード１１にアジャスタピン取り付け用の穴を形成しておく必要もない。さらに、ＧＬ工法における前工程および後工程が不要となるので、施工時間も短縮できる。
【００３０】
なお、次の部品が備わった建築部材の位置決め固定具セットを予め用意しておけば、本例の作業を一層効率良く行うことができる。すなわち、位置決め固定具セットとして、袋内に、レーザー光を照射するレーザー墨出し器３と、複数のスペーサ７と、ホットメルト接着剤８が充填されているホットメルト接着剤容器と、スペーサを切断するためのカッタとが収納されたものを用意しておくと便利である。
【００３１】
また、一般的には、これらに加えて、ホットメルト接着剤用のスプレーガンと、合成樹脂接着剤９が充填されている合成樹脂接着剤容器と、当該合成樹脂接着剤用のスプレーガンも用意しておくことが望ましい。
【００３２】
(その他の実施の形態)
上記の例は本発明の方法を壁面施工法として用いた場合の例である。本発明の方法は、壁面施工法だけでなく、床面施工法、天井面施工法などのように、建築部材をレベル出しして設置する場合に適用することができる。
【図面の簡単な説明】
【００３３】
【図１】本発明を適用した内装ボードの直貼り工法におけるレーザー墨出し工程を示す説明図である。
【図２】スペーサ接着工程を示す説明図である。
【図３】スペーサ切断工程を示す説明図である。
【図４】合成樹脂接着剤塗布工程を示す説明図である。
【図５】内装ボード取り付け工程を示す説明図である。
【図６】合成樹脂接着剤充填工程を示す説明図である。
【符号の説明】
【００３４】
１    床面
２    壁面
３    レーザー墨出し器
４    壁面
５    天井面
６、６ａ    レーザー照射線
７    スペーサ
７ａ  傾斜面
７ｂ  切断縁
８    ホットメルト接着剤
９    合成樹脂接着剤
１１  内装ボード
【図１】
2008031753.tif 000003
【図２】
2008031753.tif 000004
【図３】
2008031753.tif 000005
【図４】
2008031753.tif 000006
【図５】
2008031753.tif 000007
【図６】
2008031753.tif 000008